(57)【要約】【課題】トイレ装置における乾燥手段のシャッターの開度を簡単で省スペースな開度規制手段で規制することによって、局部乾燥時の乾燥性能を向上させることを目的とする。【解決手段】乾燥用送風機１７で送り込まれた風が乾燥ヒータ１６で加熱され、吹出口１８から吹出して、シャッター２０が開かれ、ストッパー２３が回転しストッパー受け２４の天面２４ａに当接することによって、シャッター２０の開度が決まるので、温風が肛門２７の手前の臀部後部に当たることなく、肛門２７付近に向いて吹出し、乾燥性能を向上させることができる。【選択図】図３
2005139716.tif 000002
【特許請求の範囲】
【請求項１】
便器上に設けた本体と、前記本体内には、人体の局部を洗浄する洗浄手段と、前記局部を温風により乾かす加熱手段と乾燥用送風機を有する乾燥手段とを備え、前記乾燥手段の吹出口には、吹出口を覆う大きさで、吹出口上方に回動自在に保持されたシャッターを設けるとともに、前記シャッターの開度規制手段を配設したトイレ装置。
【請求項２】
開度規制手段は、シャッター上方の回動軸から突設されたストッパーと乾燥風洞上面のストッパー受部とからなる請求項１に記載のトイレ装置。
【請求項３】
開度規制手段は、吹出口上方の本体ケースからストッパーを突設した請求項１に記載のトイレ装置。
【請求項４】
吹出口とシャッターの接触部のすくなくとも一方にリブを突設した請求項１〜３のいずれか１項に記載のトイレ装置。
【発明の詳細な説明】
【技術分野】
【０００１】
本発明は、用便後の人体の局部を温水で洗う洗浄手段と、洗浄した前記局部を温風で乾かす乾燥手段とを備えたトイレ装置に関する。
【背景技術】
【０００２】
従来この種のトイレ装置としては、例えば、人体の局部を洗浄する洗浄手段と、前記局部を温風により乾かす加熱手段と乾燥用送風機を有する乾燥手段とを備え、前記乾燥手段の吹出口には、前記吹出口を覆う大きさで、前記吹き出口上方に回動自在に保持されたシャッターを備えているものがあった（例えば、特許文献１参照）。
【０００３】
これは、図６、図７に示すように、乾燥手段１の吹出口２には、吹出口２を覆うように、シャッター３が回動軸４を中心に回動自在に設けられており、局部洗浄後の局部乾燥時、乾燥手段１を作動させると、加熱手段５と乾燥用送風機６が作動し、その風圧によってシャッター３が回動軸４を中心に開き、温風が局部へ向かって吹き付けられていた。
【特許文献１】特開昭６４−９０３３２号公報
【発明の開示】
【発明が解決しようとする課題】
【０００４】
しかしながら、前記従来の構成では、吹出口２からの温風は人体の臀部に沿って流れようとするため、着座時、シャッター３の開きが大きくなり、温風が肛門７付近の局部に当たる前に、臀部後部８に当たるので、臀部後部８が熱くなったり、肛門７付近に温風が当たらなかったりするという問題があった。
【０００５】
本発明は、前記従来の課題を解決するもので、着座時、非着座時にかかわらずシャッターの開度を規制することによって、局部乾燥時の乾燥性能を向上させたトイレ装置の提供を目的とする。
【課題を解決するための手段】
【０００６】
前記従来の課題を解決するために、本発明のトイレ装置は、乾燥手段の吹出口に、吹出口を覆う大きさで、前記吹出口上方に回動自在に保持されたシャッターを設けるとともに、前記シャッターの開度規制手段を配設したものである。
【０００７】
これにより、シャッターの開度が規制され、乾燥すべき局部に温風を当てることによって、乾燥性能を向上させたものである。
【発明の効果】
【０００８】
本発明のトイレ装置は、シャッターの開度を規制して、乾燥すべき局部に温風を当てることによって、乾燥性能を向上させることができる。
【発明を実施するための最良の形態】
【０００９】
第１の発明は、便器上に設けた本体と、前記本体内には、人体の局部を洗浄する洗浄手段と、前記局部を温風により乾かす加熱手段と乾燥用送風機を有する乾燥手段とを備え、前記乾燥手段の吹出口には、吹出口を覆う大きさで、吹出口上方に回動自在に保持されたシャッターを設けるとともに、前記シャッターの開度規制手段を配設したトイレ装置とすることにより、シャッターの開度を規制して、乾燥すべき局部に温風を当てることによって、乾燥性能を向上させることができる。
【００１０】
第２の発明は、特に、第１の発明における開度規制手段は、シャッター上方の回動軸から突設されたストッパーと乾燥風洞上面のストッパー受部とからなることによって、ストッパー受部の高さを変えて、温風の吹出方向を簡単に調整できるので、体格による局部の位置の変化に対応でき、さらに乾燥性能を向上させることができる。
【００１１】
第３の発明は、特に、第１の発明における開度規制手段は、吹出口上方の本体ケースからストッパーを突設したことによって、ストッパー受部の高さを変えて、温風の吹出方向を簡単に調整できるので、体格による局部の位置の変化に対応でき、さらに乾燥性能を向上させることができる。
【００１２】
第４の発明は、特に、第１〜第３のいずれか１つの発明における吹出口とシャッターの接触部のすくなくとも一方にリブを突設したことにより、吹出口とシャッターの間に尿や水が付着し、吹出口とシャッターが固着してしまうことを防止できる。
【００１３】
以下、本発明の実施の形態について、図面を参照しながら説明する。なお、この実施の形態によって本発明が限定されるものではない。
【００１４】
（実施の形態１）
図１〜図４は、本発明の実施の形態１におけるトイレ装置を示すものである。
【００１５】
本実施の形態において、トイレ装置の本体１１は、便器１２の後部上面に横長に設けられ、本体１１は本体ケース２６に、用便後などに人体の局部を温水で洗う洗浄手段１３と、洗浄後に局部を温風で乾燥する乾燥手段１４を内装している。この乾燥手段１４の乾燥風洞１５内には、乾燥ヒータ１６と乾燥用送風機１７が設けられている。また、乾燥手段１４の吹出口１８の上方にシャッター用回動軸受け１９が設けられており、このシャッター用回動軸受け１９を回動中心にシャッター２０が回動自在に設けられている。シャッター２０は吹出口１８を覆う大きさであり、吹出口１８上方に回動自在に保持される。シャッター２０の開度規制手段２１として、シャッター２０の回動軸２２からストッパー２３が突設され、乾燥風洞上面１５ａには、上下移動自在にストッパー受部２４が、シャッター２０が回転したとき、ストッパー２３を受けるように設けられている。一方、吹出口１８の下部１８ａには、リブ２５が突設されている。
【００１６】
以上のように構成された本実施の形態では、乾燥用送風機１７で送り込まれた風が乾燥ヒータ１６で加熱され、吹出口１８から吹出して、その風圧でシャッター２０が開かれ、ストッパー２３が回転しストッパー受部２４の天面２４ａに当接することによって、シャッター２０の開度が決まるので、温風が肛門２７の手前の臀部後部に当たることなく、肛門２７付近に向いて吹出し、乾燥性能を向上させることができる。さらに、ストッパー受部２４の天面２４ａの高さを調節することによって、シャッター２０の開度を調節でき、温風の吹出方向を調整できるので、体格による局部の位置の変化に対応することができる。
【００１７】
また、本実施の形態では、吹出口１８の下部１８ａには、リブ２５が突設されているので、吹出口１８の下部１８ａとシャッター２０の間に尿や水が付着し、吹出口１８とシャッター２０が固着してしまうことを防止できる。このリブ２５は吹出口１８とシャッター２０の接触部のすくなくとも一方に突設して設ければよいものであり、実施の形態に限定されるものでない。
【００１８】
（実施の形態２）
図５は、本発明の実施の形態２におけるトイレ装置を示すものである。実施の形態１と同一要素については、同一符号を付して説明を省略する。
【００１９】
本実施の形態においては、開度規制手段２１は、吹出口１８上方の本体ケース２６からストッパー２３を突設し、シャッター２０の開度規制をする構成としている。
【００２０】
以上のように構成された本実施の形態では、乾燥用送風機１７で送り込まれた風が乾燥ヒータ１６で加熱され、吹出口１８から吹出して、シャッター２０が開かれ、ストッパー２３に当接することによって、シャッター２０の開度が決まるので、温風が肛門２７の手前の臀部後部に当たることなく、肛門２７付近に向いて吹出し、乾燥性能を向上させることができる。
【産業上の利用可能性】
【００２１】
以上のように、本発明にかかるトイレ装置は、シャッターの開度を規制して、乾燥すべき局部に温風を当てることによって、乾燥性能を向上させることができ、人体の局部を洗浄、乾燥する衛生洗浄装置等として有用である。
【図面の簡単な説明】
【００２２】
【図１】本発明の実施の形態１におけるトイレ装置を便器にセットした状態の斜視図
【図２】同トイレ装置における乾燥手段の吹出口付近の斜視図
【図３】図１のＡ−Ａ線による断面図
【図４】同トイレ装置における乾燥手段の吹出口付近の拡大段面図
【図５】本発明の実施の形態２における乾燥手段の吹出口付近の拡大段面図
【図６】従来のトイレ装置を便器にセットした状態の斜視図
【図７】図６のＡ−Ａ線による断面図
【符号の説明】
【００２３】
１１  本体
１２  便器
１３  洗浄手段
１４  乾燥手段
１５ａ  乾燥風洞上面
１６  乾燥ヒータ（加熱手段）
１７  乾燥送風機
１８  吹出口
２０  シャッター
２１  開度規制手段
２２  回動軸
２３  ストッパー
２４  ストッパー受部
２５  リブ
２６  本体ケース
【図１】
2005139716.tif 000003
【図２】
2005139716.tif 000004
【図３】
2005139716.tif 000005
【図４】
2005139716.tif 000006
【図５】
2005139716.tif 000007
【図６】
2005139716.tif 000008
【図７】
2005139716.tif 000009